(57)【要約】【課題】壁に対して簡単に短期間で経済的に開口部を設けることが可能な壁構造を提供する。【解決手段】建築物Ｂの構造計算を行う上で、その耐力を考慮する壁３の壁構造において、前記壁３に、開口部４が形成してあり、その開口部４の内側に、緩衝材５を介在させて小壁６が設けてある。【選択図】図１
2009209518.tif 000002
【特許請求の範囲】
【請求項１】
建築物の構造計算を行う上で、その耐力を考慮する壁の壁構造であって、
前記壁に、開口部が形成してあり、その開口部の内側に、緩衝材を介在させて小壁が設けてある壁構造。
【請求項２】
前記小壁に、小開口部が形成してある請求項１に記載の壁構造。
【発明の詳細な説明】
【技術分野】
【０００１】
本発明は、建築物の構造計算を行う上で、その耐力を考慮する壁（例えば、耐力壁や耐震壁等）の壁構造に関する。
【背景技術】
【０００２】
従来、この種の壁構造においては、前記壁は、建築物の構造計算上、その耐力を考慮されるから、例えば、窓や扉や通路等の開口部がその壁に設けられている場合、建築物全体の構造計算は、前記壁に、前記開口部の断面欠損が生じている条件で実施される。
従って、開口部のない既存の壁に開口部を新たに形成する場合、その開口部による断面欠損を考慮するために建築物全体の構造計算をやり直さなければならず、更には、構造計算の結果、強度が不足する場合には、別の補強策を講じる等の別工程が必要となる。
また、開口部の周りには応力集中が生じ易いことから、開口部の周りの壁部分には、新たに補強用の鉄筋等を埋設し直す必要があり、その為には、開口面積以上の範囲にわたってコンクリートを斫り出して補強用鉄筋を配置した後、コンクリートを打設し直す等の作業を行わなければならず、それらの作業にも手間が掛かり易い。
そして、従来の壁構造としては、予め、開口部を設ける位置を想定しておき、その開口部想定位置の周りの壁部分に当初から補強用鉄筋を埋設しておき、後から開口部を設ける際に、少しでも手間を省けるようにしたものがあった（例えば、特許文献１参照）。
この従来例においては、開口部想定位置にも、通常通りの鉄筋やコンクリートが設けられており、壁全体が耐力を発揮できる状態となっている。
【０００３】
【特許文献１】特開平１１−３２４１７３号公報（図１、図２）
【発明の開示】
【発明が解決しようとする課題】
【０００４】
上述した従来の壁構造によれば、建築物の構造計算上は、壁に開口部を設ける前の状態においては、壁全体の耐力が期待できるものの、開口部を設けた後においては、その開口部が壁の欠損断面となることから、壁の耐力が低下する。従って、建築物全体の構造計算をやり直さなければならない問題や、その計算結果によっては、別の補強策を講じる等の別工程が必要となる問題点がある。
即ち、従来の壁構造によれば、既存の壁に開口部を設けるに当たって、非常に手間と時間と費用がかかる問題点があった。
【０００５】
従って、本発明の目的は、上記問題点を解消し、壁に対して簡単に短期間で経済的に開口部を設けることが可能な壁構造を提供するところにある。
【課題を解決するための手段】
【０００６】
本発明の第１の特徴構成は、建築物の構造計算を行う上で、その耐力を考慮する壁の壁構造において、前記壁に、開口部が形成してあり、その開口部の内側に、緩衝材を介在させて小壁が設けてあるところにある。
【０００７】
本発明の第１の特徴構成によれば、前記壁に、開口部が形成してあり、その開口部の内側に、緩衝材を介在させて小壁が設けてあるから、緩衝材の存在によって前記壁と前記小壁との間の力の伝達を緩和することができ、例えば、小壁の範囲内の如何なる場所に小開口を形成しても、壁そのものの耐力に影響を及ぼすことが無くなる。
従って、前記開口部の内側に小壁が設けてある全面閉塞状態であっても、小壁の範囲内に新たな小開口を設けた一部開口状態であっても、壁としての耐力に変化が無く、壁に開口を設けることができながら、従来のように、建築物全体の構造計算をやり直したり、別の補強策を講じたりする必要が無くなる。
その結果、壁に対して簡単に短期間で経済的に開口を設けることが可能となる。
更には、前記小壁の範囲内であれば、小開口を設ける位置は、自由に設定することができ、設計変更の自由性が極めて向上する。
【０００８】
本発明の第２の特徴構成は、前記小壁に、小開口部が形成してあるところにある。
【０００９】
本発明の第２の特徴構成によれば、本発明の第１の特徴構成による上述の作用効果を叶えることができるのに加えて、前記小開口部を、例えば、窓や扉や通路等として使用することができる。
また、小壁は、上述のとおり緩衝材によって壁からの作用力の影響を受け難いから、小壁に設ける小開口部のフレーム材等も同様に、壁からの作用力の影響を受け難くすることができる。従って、例えば、地震等によって前記壁に変形等が発生しても、その影響が前記フレーム材等に作用し難く、小開口部の扉の開閉の障害になることを防止し易い。
その結果、地震等の災害時においてでも、前記小開口部を避難路として確保することが可能となる。
【発明を実施するための最良の形態】
【００１０】
以下に本発明の実施の形態を図面に基づいて説明する。
【００１１】
図１は、本発明の壁構造を採用した建物の一実施形態を示すもので、鉄筋コンクリート造の建築物要部を示している。
【００１２】
建築物Ｂは、柱１、梁２からなるラーメン架構を備えており、そのラーメン架構の内側には、耐震壁（壁の一例）３が一体に形成されている。
【００１３】
前記耐震壁３の一部には、開口部４が形成してあり、その開口部４の内側には、緩衝材５を介在させて小壁６が設けてある。
そして、前記小壁６には、その一部に小開口部７が形成してあり、耐震壁３で仕切られた室内空間相互にわたって、前記小開口部７を通して出入りすることができるように構成されている。
尚、建築物Ｂの構造計算においては、柱１、梁２と共に、前記耐震壁３に関してもその耐力が考慮されており、耐震壁３の算定においては、前記開口部４は、断面欠損となる条件で実施されており、その状態で長期・短期荷重を支持できる設計が成されている。
【００１４】
前記緩衝材５は、例えば、パテ材や、発泡樹脂材や、ゴム等を用いれば顕著な緩衝効果を得ることができる。
即ち、建築物Ｂに作用する地震力を前記耐震壁３によって受け止める際、前記開口部４の内側に如何なる部材を位置させていても、当該緩衝材５による緩衝効果によってその部材に耐震壁３からの力が伝わるのを防止できる。その結果、耐震壁３の解析モデルに変更を来すことがない。
【００１５】
前記小壁６は、例えば、ＡＬＣパネルや、石膏ボード等のパネル材を用いて形成することができる。また、コンクリートやモルタル等を使用して形成することもできる。この場合は、パネル状に成形したものを設置したり、現場打ちによって形成することができる。
【００１６】
前記小開口部７は、当該実施形態においては、ドアサッシで構成してある。
【００１７】
当該実施形態の壁構造によれば、建築物Ｂの設計を、耐震壁３の前記開口部４は断面欠損として実施されており、その内側の小壁６は、緩衝材５を介して設置されているから、小壁６をどのように構成しても、建築物Ｂの構造計算結果に影響を及ぼすことがない。
従って、図２に示すように、前記開口部４の内側に全面にわたる小壁６が設けてある全面閉塞状態であっても、図３に示すように、小壁６の範囲内に新たな小開口部７を設けた一部開口状態であっても、図４に示すように、小壁６の範囲内の異なる位置に小開口部７を設けた一部開口状態であっても、耐震壁３としての耐力に変化が無く、小壁６に対して任意の位置に任意の形状の開口を自由に設けることができながら、従来のように、建築物全体の構造計算をやり直したり、別の補強策を講じたりする必要が無くなる。
その結果、壁に対して簡単に短期間で経済的に開口を設けることが可能となる。
更には、前記小壁の範囲内であれば、小開口を設ける位置は、自由に設定することができ、設計変更の自由性が極めて向上する。
【００１８】
〔別実施形態〕
以下に他の実施の形態を説明する。
【００１９】
〈１〉  前記壁構造は、先の実施形態で説明したラーメン架構と一体に形成された耐震壁によって構成されているものに限るものではなく、例えば、壁式構造の建物における壁であってもよい。要するに、建築物Ｂの構造計算を行う上で、その耐力を考慮する必要のある耐震壁や耐力壁を指しており、それらを総称して壁という。
〈２〉  前記小壁６は、先の実施形態で説明したように、小開口部７をその一部に設けたものに限らず、小開口部７を設けてないものであってもよく、それらを総称して小壁６という。また、その構造や材質は、特に限定されるものではない。
また、小壁６の一部に形成する小開口部７は、先の実施形態で説明したドアサッシに限るものではなく、例えば、図３に示すように、窓サッシや、図４に示すように、単なる開口空間であってもよく、それらを総称して小開口部７という。
【００２０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２１】
【図１】壁構造を示す建物要部正面図
【図２】別実施形態の壁構造を示す建物要部正面図
【図３】別実施形態の壁構造を示す建物要部正面図
【図４】別実施形態の壁構造を示す建物要部正面図
【符号の説明】
【００２２】
３      耐震壁（壁の一例）
４      開口部
５      緩衝材
６      小壁
７      小開口部
Ｂ      建築物
【図１】
2009209518.tif 000003
【図２】
2009209518.tif 000004
【図３】
2009209518.tif 000005
【図４】
2009209518.tif 000006